(57)【特許請求の範囲】
【請求項１】
ホストコンピュータから送信された印刷データに基づいて印刷を行うと共に、ユーザが操作するためのユーザインタフェースを使用しなくてもデモ印刷を実行可能な印刷装置において、
前記ホストコンピュータを含む周辺機器と接続するための接続インターフェースと、
前記接続インターフェースの接続対象を検出する接続対象検出手段と、
検出した前記接続対象に応じて、前記ホストコンピュータから受信した印刷データに基づいて印刷を行う通常印刷モードと、予め記憶されているデモ用印刷データに基づいて印刷を行うデモ印刷モードとのいずれかのモードに設定するモード設定手段と、
前記デモ印刷モードに設定した場合、ユーザによる特定の操作をトリガとして印刷媒体上に前記デモ印刷を行うデモ印刷手段と、を備え、
前記モード設定手段は、前記接続対象が前記ホストコンピュータである場合、前記通常印刷モードに設定すると共に、前記接続対象がホストコンピュータでない場合または接続対象が存在しない場合、前記デモ印刷モードに設定することを特徴とする印刷装置。
【請求項２】
前記接続対象検出手段は、電源が供給されたとき、前記接続対象を検出することを特徴とする請求項１に記載の印刷装置。
【請求項３】
前記接続対象検出手段は、前記印刷媒体が装填されたとき、前記接続対象を検出することを特徴とする請求項１に記載の印刷装置。
【請求項４】
前記接続対象検出手段は、前記接続対象が接続されたとき、前記接続対象を検出することを特徴とする請求項１に記載の印刷装置。
【請求項５】
前記モード設定手段は、前記接続対象がデモ印刷専用のアタッチメントである場合、前記デモ印刷モードに設定することを特徴とする請求項１ないし４のいずれか１に記載の印刷装置。
【請求項６】
前記特定の操作には、電源を供給する操作が含まれることを特徴とする請求項１ないし５のいずれか１に記載の印刷装置。
【請求項７】
前記特定の操作には、前記印刷媒体を装填する操作が含まれることを特徴とする請求項１ないし６のいずれか１に記載の印刷装置。
【請求項８】
前記特定の操作には、前記接続対象を接続する操作が含まれることを特徴とする請求項１、４、５、６または７に記載の印刷装置。
【請求項９】
前記印刷媒体はテープであり、当該テープが巻回された状態で収容されたテープカートリッジを装着するテープカートリッジ装着部を更に備え、
前記テープカートリッジ装着部は、前記テープカートリッジの装着後閉蓋するための蓋部材を有し、
前記接続対象検出手段は、前記蓋部材が閉蓋されたとき、前記接続対象を検出することを特徴とする請求項３に記載の印刷装置。
【請求項１０】
前記特定の操作には、前記蓋部材を閉蓋する操作が含まれることを特徴とする請求項９に記載の印刷装置。
【請求項１１】
前記印刷媒体は円盤状の追記型光ディスクであることを特徴とする請求項１ないし８のいずれか１に記載の印刷装置。
【請求項１２】
前記印刷装置に装填された印刷媒体の種類を検出する印刷媒体検出手段を更に備え、
前記モード設定手段は、前記印刷媒体検出手段において検出した前記印刷媒体が特定の印刷媒体である場合、前記接続対象検出手段において検出した前記接続対象に関わらず、前記デモ印刷モードに設定することを特徴とする請求項１、５、６または１１に記載の印刷装置。
【請求項１３】
ホストコンピュータから送信された印刷データに基づいて印刷を行う印刷装置において、
前記印刷装置に装填された印刷媒体の種類を検出する印刷媒体検出手段と、
検出した前記印刷媒体の種類に応じて、ホストコンピュータから受信した印刷データに基づいて印刷を行う通常印刷モードと、予め記憶されているデモ用印刷データに基づいて印刷を行うデモ印刷モードとのいずれかのモードに設定するモード設定手段と、
前記デモ印刷モードに設定した場合、ユーザによる特定の操作をトリガとして前記印刷媒体上にデモ印刷を行うデモ印刷手段と、を備えたことを特徴とする印刷装置。
【請求項１４】
前記印刷媒体検出手段は、電源が供給されたとき、前記印刷媒体を検出することを特徴とする請求項１３に記載の印刷装置。
【請求項１５】
前記印刷媒体検出手段は、前記印刷媒体が装填されたとき、前記印刷媒体を検出することを特徴とする請求項１３に記載の印刷装置。
【請求項１６】
ユーザが操作するためのユーザインタフェースを使用しなくても前記デモ印刷を実行可能であることを特徴とする請求項１３、１４または１５に記載の印刷装置。
【請求項１７】
ユーザが印刷実行を指示するための印刷実行キーを更に備え、
前記印刷媒体検出手段は、ユーザによって前記印刷実行キーが押下されたとき、前記印刷媒体を検出することを特徴とする請求項１３、１４または１５に記載の印刷装置。
【請求項１８】
前記特定の操作には、前記印刷実行キーを押下する操作が含まれることを特徴とする請求項１７に記載の印刷装置。
【請求項１９】
前記特定の操作には、電源を供給する操作が含まれることを特徴とする請求項１３ないし１８のいずれか１に記載の印刷装置。
【請求項２０】
前記特定の操作には、前記印刷媒体を装填する操作が含まれることを特徴とする請求項１３、１５、１６、１７、１８または１９に記載の印刷装置。
【請求項２１】
前記印刷媒体はテープであり、当該テープが巻回された状態で収容されたテープカートリッジを装着するテープカートリッジ装着部を更に備え、
前記テープカートリッジ装着部は、前記テープカートリッジの装着後閉蓋するための蓋部材を有し、
前記印刷媒体検出手段は、前記蓋部材が閉蓋されたとき、前記テープカートリッジの種類を検出することを特徴とする請求項１５に記載の印刷装置。
【請求項２２】
前記特定の操作には、前記蓋部材を閉蓋する操作が含まれることを特徴とする請求項２１に記載の印刷装置。
【請求項２３】
前記印刷媒体は円盤状の追記型光ディスクであることを特徴とする請求項１３ないし２０のいずれか１に記載の印刷装置。
【請求項２４】
前記ホストコンピュータを含む周辺機器と接続するための接続インターフェースと、
前記接続インターフェースの接続対象を検出する接続対象検出手段とを更に備え、
前記モード設定手段は、前記接続対象が前記ホストコンピュータである場合、装填された印刷媒体に関わらず、前記通常印刷モードに設定することを特徴とする請求項１３、１６、１７、１８、１９、２１、２２または２３に記載の印刷装置。
【請求項２５】
前記モード設定手段は、前記接続対象検出手段において検出した前記接続対象がデモ印刷専用のアタッチメントである場合、装填された印刷媒体に関わらず、前記デモ印刷モードに設定することを特徴とする請求項２４に記載の印刷装置。
【請求項２６】
前記特定の操作には、前記接続対象を接続する操作が含まれることを特徴とする請求項２４または２５に記載の印刷装置。
【請求項２７】
前記モード設定手段は、前記デモ印刷モードの設定後、電源切断時まで当該デモ印刷モードを継続することを特徴とする請求項１、２、３、４、５、７、８、９、１０、１１、１２、１３、１４、１５、１６、１７、１８、２０、２１、２２、２３、２４、２５または２６に記載の印刷装置。
【請求項２８】
前記モード設定手段は、前記デモ印刷モードの設定後、1回のデモ印刷が終了するまで前記デモ印刷モードを継続することを特徴とする請求項１ないし２６のいずれか１に記載の印刷装置。
【発明の詳細な説明】
【０００１】
【発明の属する技術分野】
本発明は、ホストコンピュータから送信された印刷データに基づいて印刷を行う印刷装置に関するものである。
【０００２】
【従来の技術】
従来、ホストコンピュータから送信された印刷データや制御データに基づいて、テープ上に印刷を行い、所定の長さにカットしてラベルを作成する印刷装置（ラベルライタ）が知られている（例えば、特許文献１参照。）。この種の印刷装置は、装置ケース上に、データ作成並びにデータ編集を行うためのユーザインタフェースを具備していないため、製品の出荷検査や、販売活動におけるデモンストレーション印刷（以下、「デモ印刷」という）を行う場合には、ホストコンピュータにプリンタドライバ並びに印刷専用アプリケーションのインストールを行った後、ホストコンピュータと印刷装置とを、ケーブル等を用いて接続し、ホストコンピュータから印刷装置に印刷データを送信して印刷を行わせなければならない。
【０００３】
【特許文献１】
特開２００２−０３６３９７号公報（第３−４頁、第１図）
【０００４】
つまり、デモ印刷を行う場合には、プリンタドライバ等がインストールされたホストコンピュータの他、ディスプレイ、キーボード、ケーブル等を用意する必要があり、その準備に手間がかかっていた。また、販売活動においては、ホストコンピュータを携行、若しくは販売先において、印刷装置に対応するＯＳ（オペレーションシステム）を搭載したホストコンピュータを用意してもらわなければならず、大変不便であった。
【０００５】
【発明が解決しようとする課題】
本発明は、上記の問題点に鑑み、ホストコンピュータと接続することなく、デモ印刷を容易に実行可能な印刷装置を提供することを目的とする。
【０００６】
【課題を解決するための手段】
本発明の印刷装置は、ホストコンピュータから送信された印刷データに基づいて印刷を行うと共に、ユーザが操作するためのユーザインタフェースを使用しなくてもデモ印刷を実行可能な印刷装置において、ホストコンピュータを含む周辺機器と接続するための接続インターフェースと、接続インターフェースの接続対象を検出する接続対象検出手段と、検出した接続対象に応じて、ホストコンピュータから受信した印刷データに基づいて印刷を行う通常印刷モードと、予め記憶されているデモ用印刷データに基づいて印刷を行うデモ印刷モードとのいずれかのモードに設定するモード設定手段と、デモ印刷モードに設定した場合、ユーザによる特定の操作をトリガとして印刷媒体上にデモ印刷を行うデモ印刷手段と、を備え、モード設定手段は、接続対象がホストコンピュータである場合、通常印刷モードに設定すると共に、接続対象がホストコンピュータでない場合または接続対象が存在しない場合、デモ印刷モードに設定することを特徴とする。
【０００７】
この構成によれば、接続対象がホストコンピュータでない場合または接続対象が存在しない場合、デモ印刷モードに設定し、予め装置内に記憶されているデモ用印刷データに基づいて印刷を行うため、ホストコンピュータと接続することなく容易にデモ印刷を行うことができる。また、ユーザが操作するためのユーザインタフェースを省略しており、ユーザによる特定の操作をトリガとしてデモ印刷を行うため、特定の操作を印刷実行のための他の操作（例えば、電源を供給する操作など）と兼用させることで、ユーザは印刷実行のための特別な操作（例えば、印刷実行キーの押下など）を行う必要なく、より簡単にデモ印刷を行うことができる。更に、ユーザインタフェースを省略した構成とすることができるため、コストの削減を図ることができる。なお、ユーザインタフェースとは、印刷実行機能、印刷データ作成機能、編集機能などを実行させるためのキー、ディップスイッチ、ボタン、タッチパネルなどを含むものである。
【０００８】
この場合、接続対象検出手段は、電源が供給されたとき、接続対象を検出することが好ましい。
【０００９】
この構成によれば、ユーザが印刷装置に印刷を実行させるために当然必要となる、電源を供給する操作に基づいて接続対象を検出し、デモ印刷モードの設定を行うことができる。すなわち、モード設定のための特別な操作を必要としないため、ユーザの手間を省くことができる。
【００１０】
この場合、接続対象検出手段は、印刷媒体が装填されたとき、接続対象を検出することが好ましい。
【００１１】
この構成によれば、ユーザが印刷装置に印刷を実行させるために当然必要となる、印刷媒体を装填する操作に基づいて接続対象を検出し、デモ印刷モードの設定を行うことができる。すなわち、モード設定のための特別な操作を必要としないため、ユーザの手間を省くことができる。
【００１２】
この場合、接続対象検出手段は、接続対象が接続されたとき、接続対象を検出することが好ましい。
【００１３】
この構成によれば、ユーザが印刷装置に印刷を実行させるために必要と考えられる、接続対象を接続する操作に基づいて接続対象を検出し、デモ印刷モードの設定を行うことができる。すなわち、モード設定のための特別な操作を必要としないため、ユーザの手間を省くことができる。
【００１４】
この場合、モード設定手段は、接続対象がデモ印刷専用のアタッチメントである場合、デモ印刷モードに設定することが好ましい。
【００１５】
この構成によれば、接続対象がホストコンピュータである場合、通常印刷モードに設定し、接続対象がデモ印刷専用のアタッチメントである場合、デモ印刷モードに設定するといった単純な構成となるため、接続対象の検出処理（印刷モードの設定処理）を容易且つ確実に行うことができる。
【００１６】
これらの場合、特定の操作には、電源を供給する操作が含まれることが好ましい。
【００１７】
この構成によれば、ユーザが印刷装置に印刷を実行させるために当然必要となる、電源を供給する操作に基づいてデモ印刷を行うことができる。すなわち、デモ印刷実行のための特別な操作を必要としないため、ユーザの手間を省くことができる。
【００１８】
これらの場合、特定の操作には、印刷媒体を装填する操作が含まれることが好ましい。
【００１９】
この構成によれば、ユーザが印刷装置に印刷を実行させるために当然必要となる、印刷媒体を装填する操作に基づいてデモ印刷を行うことができる。すなわち、デモ印刷実行のための特別な操作を必要としないため、ユーザの手間を省くことができる。
【００２０】
これらの場合、特定の操作には、接続対象を接続する操作が含まれることが好ましい。
【００２１】
この構成によれば、ユーザが印刷装置に印刷を実行させるために必要と考えられる、接続対象を接続する操作に基づいてデモ印刷を行うことができる。すなわち、デモ印刷実行のための特別な操作を必要としないため、ユーザの手間を省くことができる。
【００２２】
この場合、印刷媒体はテープであり、当該テープが巻回された状態で収容されたテープカートリッジを装着するテープカートリッジ装着部を更に備え、テープカートリッジ装着部は、テープカートリッジの装着後閉蓋するための蓋部材を有し、接続対象検出手段は、蓋部材が閉蓋されたとき、接続対象を検出することが好ましい。
【００２３】
この構成によれば、テープが収容されたテープカートリッジの装着後の閉蓋を検出するため、テープ自体の装填を検出する場合と比較して、容易に印刷媒体の装填（装着）を検出することができる。
【００２４】
この場合、特定の操作には、テープカートリッジを装着する操作が含まれることが好ましい。
【００２５】
この構成によれば、ユーザが印刷装置に印刷を実行させるために当然必要となる、テープカートリッジを装着する操作に基づいてデモ印刷を行うことができる。すなわち、デモ印刷実行のための特別な操作を必要としないため、ユーザの手間を省くことができる。
【００２６】
これらの場合、印刷媒体は円盤状の追記型光ディスクであることが好ましい。
【００２７】
この構成によれば、円盤状の追記型光ディスクに印刷を行う印刷装置において、ホストコンピュータと接続することなく容易にデモ印刷を行うことができる。なお、円盤状の追記型光ディスクとは、ＣＤ−Ｒ、ＣＤ−ＲＷ、ＤＶＤ−Ｒ、ＤＶＤ−ＲＷおよびＤＶＤ−ＲＡＭなどを指すものである。
これらの場合、印刷装置に装填された印刷媒体の種類を検出する印刷媒体検出手段を更に備え、モード設定手段は、印刷媒体検出手段において検出した印刷媒体が特定の印刷媒体である場合、接続対象検出手段において検出した接続対象に関わらず、デモ印刷モードに設定することが好ましい。
この構成によれば、検出した印刷媒体が特定の印刷媒体である場合、接続対象に関わらず、デモ印刷モードに設定するため、ユーザが誤って印刷装置をホストコンピュータに接続してしまった場合でも、デモ印刷を行うことができる。
【００２８】
本発明の他の印刷装置は、ホストコンピュータから送信された印刷データに基づいて印刷を行う印刷装置において、印刷装置に装填された印刷媒体の種類を検出する印刷媒体検出手段と、検出した印刷媒体の種類に応じて、ホストコンピュータから受信した印刷データに基づいて印刷を行う通常印刷モードと、予め記憶されているデモ用印刷データに基づいて印刷を行うデモ印刷モードとのいずれかのモードに設定するモード設定手段と、デモ印刷モードに設定した場合、ユーザによる特定の操作をトリガとして印刷媒体上にデモ印刷を行うデモ印刷手段と、を備えたことを特徴とする。
【００２９】
この構成によれば、印刷媒体の種類を検出し、印刷媒体の種類に応じて、通常印刷モードとデモ印刷モードとのいずれかを設定し、デモ印刷モードに設定した場合は、予め装置内に記憶されているデモ用印刷データに基づいて印刷を行うため、ホストコンピュータと接続することなく容易にデモ印刷を行うことができる。
【００３０】
この場合、印刷媒体検出手段は、電源が供給されたとき、印刷媒体を検出することが好ましい。
【００３１】
この構成によれば、ユーザが印刷装置に印刷を実行させるために当然必要となる、電源を供給する操作に基づいて印刷媒体を検出し、モードの設定を行うことができる。すなわち、モード設定のための特別な操作を必要としないため、ユーザの手間を省くことができる。
【００３２】
この場合、印刷媒体検出手段は、印刷媒体が装填されたとき、印刷媒体を検出することが好ましい。
【００３３】
この構成によれば、ユーザが印刷装置に印刷を実行させるために当然必要となる、印刷媒体を装填する操作に基づいて印刷媒体を検出し、モードの設定を行うことができる。すなわち、モード設定のための特別な操作を必要としないため、ユーザの手間を省くことができる。
【００３４】
これらの場合、ユーザが操作するためのユーザインタフェースを使用しなくてもデモ印刷を実行可能であることが好ましい。
【００３５】
この構成によれば、ユーザインタフェース（例えば、印刷実行キーなど）を省略できるため、装置ケース上にユーザインタフェースを具備するためのコストの削減を図ることができる。
【００３６】
これらの場合、ユーザが印刷実行を指示するための印刷実行キーを更に備え、印刷媒体検出手段は、ユーザによって印刷実行キーが押下されたとき、印刷媒体を検出することが好ましい。
【００３７】
この構成によれば、ユーザによる印刷実行キーの押下によって印刷媒体を検出し、モード設定を行うため、ユーザが意図しない操作（例えば、電源を供給する操作など）によって誤ってモード設定を行うことがない。したがって、ユーザの誤操作を減らすことができる。
【００３８】
この場合、特定の操作には、印刷実行キーを押下する操作が含まれることが好ましい。
【００３９】
この構成によれば、印刷媒体の検出、並びにモード設定を行うためのトリガとなる印刷実行キーの押下によって、デモ印刷を実行するため、ユーザはこれらの処理を、１回のキー押下によって簡単に行うことができる。
【００４０】
これらの場合、特定の操作には、電源を供給する操作が含まれることが好ましい。
【００４１】
この構成によれば、ユーザが印刷装置に印刷を実行させるために当然必要となる、電源を供給する操作に基づいてデモ印刷を行うことができる。すなわち、デモ印刷のための特別な操作を必要としないため、ユーザの手間を省くことができる。
【００４２】
これらの場合、特定の操作には、印刷媒体を装填する操作が含まれることが好ましい。
【００４３】
この構成によれば、ユーザが印刷装置に印刷を実行させるために当然必要となる、印刷媒体を装填する操作に基づいてデモ印刷を行うことができる。すなわち、デモ印刷のための特別な操作を必要としないため、ユーザの手間を省くことができる。
【００４４】
この場合、印刷媒体はテープであり、当該テープが巻回された状態で収容されたテープカートリッジを装着するテープカートリッジ装着部を更に備え、テープカートリッジ装着部は、テープカートリッジの装着後閉蓋するための蓋部材を有し、印刷媒体検出手段は、蓋部材の閉蓋されたとき、テープカートリッジの種類を検出することが好ましい。
【００４５】
この構成によれば、テープが収容されたテープカートリッジの種類を検出するため、テープ自体の種類を検出する場合と比較して、容易に印刷媒体の種類を検出することができる。また、蓋部材の閉蓋によって、テープカートリッジの装着を検出するため、テープ自体の装填を検出する場合と比較して、確実に、テープカートリッジの装着を検出することができる。
【００４６】
これらの場合、特定の操作には、蓋部材を閉蓋する操作が含まれることが好ましい。
【００４７】
この構成によれば、ユーザが印刷装置に印刷を実行させるために当然必要となる、蓋部材を閉蓋する操作に基づいてデモ印刷を行うことができる。すなわち、デモ印刷実行のための特別な操作を必要としないため、ユーザの手間を省くことができる。
【００４８】
これらの場合、印刷媒体は円盤状の追記型光ディスクであることが好ましい。
【００４９】
この構成によれば、円盤状の追記型光ディスクに印刷を行う印刷装置において、ホストコンピュータと接続することなく容易にデモ印刷を行うことができる。
【００５０】
これらの場合、ホストコンピュータを含む周辺機器と接続するための接続インターフェースと、接続インターフェースの接続対象を検出する接続対象検出手段とを更に備え、モード設定手段は、接続対象がホストコンピュータである場合、装填された印刷媒体に関わらず、通常印刷モードに設定することが好ましい。
【００５１】
この構成によれば、接続対象がホストコンピュータである場合、装填された印刷媒体に関わらず、通常印刷モードに設定するため、ユーザが誤って通常印刷モード専用外の印刷媒体を装填した場合（若しくは、デモ印刷モード専用の印刷媒体を装填した場合）でも、ユーザの意図に反してデモ印刷を実行することがない。
【００５２】
この場合、モード設定手段は、接続対象検出手段において検出した接続対象がデモ印刷専用のアタッチメントである場合、装填された印刷媒体に関わらず、デモ印刷モードに設定することが好ましい。
【００５３】
この構成によれば、デモ印刷専用のアタッチメントである場合、装填された印刷媒体に関わらず、デモ印刷モードに設定するため、ユーザが誤ってデモ印刷モード専用外の印刷媒体を装填した場合（若しくは、通常印刷モード専用の印刷媒体を装填した場合）でも、デモ印刷を行うことができる。
【００５６】
これらの場合、特定の操作には、接続対象を接続する操作が含まれることが好ましい。
【００５７】
この構成によれば、ユーザが印刷装置に印刷を実行させるために必要と考えられる、接続対象を接続する操作に基づいてデモ印刷を行うことができる。すなわち、デモ印刷実行のための特別な操作を必要としないため、ユーザの手間を省くことができる。
【００５８】
これらの場合、モード設定手段は、デモ印刷モードの設定後、電源切断時まで当該デモ印刷モードを継続することが好ましい。
【００５９】
この構成によれば、デモ印刷モードの設定後、電源切断時まで当該デモ印刷モードが継続するため、電源を切断しなければ必要に応じて何度でもデモ印刷を続けて行うことができる。したがって、例えば販売活動において、顧客に対し、続けてデモ印刷の実演を行う場合などに有効である。
【００６０】
これらの場合、モード設定手段は、デモ印刷モードの設定後、１回のデモ印刷が終了するまでデモ印刷モードを継続することが好ましい。
【００６１】
この構成によれば、デモ印刷モードの設定後、１回のデモ印刷が終了するまでデモ印刷モードを継続するため、１回だけデモ印刷を行いたい場合に有効である。
【００６２】
【発明の実施の形態】
以下、本発明の一実施形態に係る印刷装置について、添付図面を参照しながら詳細に説明する。本発明は、ホストコンピュータから受信した印刷データに基づいて印刷を行う通常印刷モードと、デモ用印刷データ（製品の出荷検査や、販売活動におけるデモンストレーション印刷用のデータ）に基づいて印刷を行うデモ印刷モードとの２つのモードを備え、印刷媒体や接続対象に応じて、モード設定を行うと共に、デモ印刷モードに設定した場合は、予め装置内に記憶されているデモ用印刷データに基づいて印刷を行うため、ホストコンピュータと接続することなく容易にデモ印刷を行うことができるものである。
【００６３】
また、ユーザが操作するためのユーザインタフェースを省略しており、ユーザによる特定の操作をトリガとしてデモ印刷を行うため、特定の操作を印刷実行のための他の操作（例えば、電源を供給する操作など）と兼用させることで、ユーザは印刷実行のための特別な操作（例えば、印刷実行キーの押下など）を行う必要なく、より簡単にデモ印刷を行うことができるものである。そこで、以下、テープ状の印刷媒体に印刷を行い、所定長さにカットすることでラベルを作成するラベルライタを例に挙げて説明する。
【００６４】
図１は、本実施形態におけるラベルライタ１にテープカートリッジＣを装着し、開閉蓋（蓋部材）を閉蓋した状態の外観斜視図であり、図２は、テープカートリッジＣを脱着し、開閉蓋を開蓋した状態の外観斜視図である。両図に示すように、本発明のラベルライタ１は、ホストコンピュータ３０とケーブル４２およびＵＳＢコネクタ４１を介して接続されており、本体ケース２と、テープカートリッジＣを脱着する際に開閉する開閉蓋２１と、テープカートリッジＣを装着するポケット（テープカートリッジ装着部）６と、テープカートリッジＣから繰り出されたテープＴ（印刷媒体）を排出するテープ排出口２２と、印刷済みのテープＴを切断するテープカッタ１３１と、ホストコンピュータ３０からの印刷データおよび制御データを受信する接続インターフェース２５（ＵＳＢインターフェース）（図３参照）とを備えている。また、本発明のラベルライタ１は、図示の通り、印刷実行機能、印刷データ作成機能および編集機能などを実行させるためのキー、ディップスイッチ、ボタン、タッチパネルなどのユーザインタフェースが省略されており、装置の小型化並びに省コスト化を図った構成となっている。
【００６５】
ポケット６には、印刷ヘッド（サーマルヘッド）７等から成るヘッドユニット６１と、テープカートリッジＣの種類（テープＴの種類）を識別するための複数のマイクロスイッチ６４から成るテープカートリッジ種類検出センサ１４２（図３参照）と、装着されたテープカートリッジＣの被駆動部が係合する駆動軸６２，６３とが形成されており、これら駆動軸６２，６３によって、テープカートリッジＣ内のテープＴおよびインクリボンＲの送りが行われ、且つこれらに同期して印刷ヘッド７を駆動することにより、印刷が行われる。
【００６６】
また、テープカートリッジＣには、カートリッジケース５１の内部に、一定の幅（３．５ｍｍ〜４８ｍｍ程度）のテープＴとインクリボンＲとがそれぞれ巻回された状態で収容されており、ポケット６に配設されたヘッドユニット６１に差し込むための貫通孔５５が形成されている。また、複数のマイクロスイッチ６４によってテープカートリッジＣの種類を識別できるように（テープＴの幅や材質等の識別も可）、裏面に小さな複数の孔が設けられている（図示省略）。なお、本実施形態では、このマイクロスイッチ６４による検出結果に応じて、ホストコンピュータ３０から受信した印刷データに基づいて印刷を行う通常印刷モードと、予め記憶されているデモ用印刷データに基づいて印刷を行うデモ印刷モードとのいずれかの設定を行うが、詳細については後述する。
【００６７】
テープＴは、受像層（印刷面）Ｔａと、粘着材層Ｔｂと、剥離紙層Ｔｃとが積層された構造となっており、作成されたラベルは、ユーザによって剥離紙層Ｔｃが剥離され、粘着材層Ｔｂが貼着対象物に貼着されることにより、使用される。また、テープＴとインクリボンＲとは、貫通孔５５の位置で相互に重なり合った状態で走行すると共に、テープＴのみが外部に排出され、インクリボンＲはテープカートリッジＣ内部で巻き取られるようになっている。
【００６８】
一方、ホストコンピュータ３０は、本体装置３２と、これに接続されるディスプレイ３３、キーボード３４およびマウス３５等の周辺機器を有し、ユーザによるキーボード３４およびマウス３５等の操作によって印刷データや制御データを作成し、ＰＣインターフェース３１を介してラベルライタ１に送信する。
【００６９】
ここで、ラベルライタ１の制御構成について、図３の制御ブロック図を参照して説明する。ラベルライタ１は、接続インターフェース２５を有し、ホストコンピュータ３０からＰＣインターフェース３１を介して送信された印刷データや制御データを入力すると共に、ラベルライタ１内部における処理状況等に関するデータをホストコンピュータ３０に対して出力するデータ入出力部１１と、テープカートリッジＣや印刷ヘッド７を配設したポケット６と、送りモータ１２１によりテープＴおよびインクリボンＲを搬送するテープ送り部１２０とを有し、ホストコンピュータ３０から送信された印刷データに基づいてテープＴ上に印刷を行う印刷部１２と、テープカッタ１３１とこれを駆動するカッタモータ１３２とを有し、印刷済みのテープＴを所定長さとなるように切断する切断部１３と、送りモータ１２１の回転速度を検出する回転速度センサ１４１、テープカートリッジＣの種類を検出するテープカートリッジ種類検出センサ１４２、周囲温度（環境温度）を検出する周囲温度センサ１４３、および印刷ヘッド７の表面温度を検出するヘッド表面温度検出センサ１４４を有し、各種検出を行う検出部１４と、ヘッドドライバ２７２およびモータドライバ２７３（送りモータドライバ２７３ｄ、カッタモータドライバ２７３ｃ）を有し、各部を駆動する駆動部２７０と、各部と接続され、ラベルライタ１全体を制御する制御部２００とによって構成されている。
【００７０】
制御部２００は、ＣＰＵ２１０、ＲＯＭ２２０、キャラクタジェネレータＲＯＭ（ＣＧ−ＲＯＭ）２３０、ＲＡＭ２４０および入出力制御装置（以下、「ＩＯＣ：Ｉｎｐｕｔ  Ｏｕｔｐｕｔ  Ｃｏｎｔｒｏｌｌｅｒ」という）２５０を備え、互いに内部バス２６０により接続されている。ＲＯＭ２２０は、ＣＰＵ２１０で処理する制御プログラムを記憶する制御プログラムブロック２２１と、印刷モードの設定を行うための設定条件（テープカートリッジＣの種類など）に関するデータや、デモ印刷を行うためのデモ用印刷データなどを含む制御データを記憶する制御データブロック２２２とを有している。また、ＣＧ−ＲＯＭ２３０には、特殊フォントやロゴ（絵文字）等のフォントデータを記憶させることが可能であり、これら特殊フォントやロゴを記憶している場合は、それらを特定するコードデータが与えられたときに対応するフォントデータを出力する。なお、当該ＣＧ−ＲＯＭ２３０を備えない構成としても良い。
【００７１】
ＲＡＭ２４０は、フラグ等として使用される各種ワークエリアブロック２４１の他、ホストコンピュータ３０から送信された印刷データを記憶する印刷データブロック２４２と、テープカートリッジＣの種類などに応じて設定した印刷モードを記憶する印刷モードブロック２４３とを有し、制御処理のための作業領域として使用される。また、ＲＡＭ２４０は電源が切断されても記憶したデータを保持しておくように常にバックアップされている。
【００７２】
ＩＯＣ２５０には、ＣＰＵ２１０の機能を補うと共に各種周辺回路とのインターフェース信号を取り扱うための論理回路が、ゲートアレイやカスタムＬＳＩなどにより構成されて組み込まれている。これにより、ＩＯＣ２５０は、ホストコンピュータ３０からの印刷データや制御データをそのまま或いは加工して内部バス２６０に取り込むと共に、ＣＰＵ２１０と連動して、ＣＰＵ２１０から内部バス２６０に出力されたデータや制御信号を、そのまま或いは加工して駆動部２７０に出力する。
【００７３】
そして、ＣＰＵ２１０は、上記の構成により、ＲＯＭ２２０内の制御プログラムに従って、ＩＯＣ２５０を介してラベルライタ１内の各部から各種信号・データを入力し、ＣＧ−ＲＯＭ２３０からのフォントデータ、ＲＡＭ２４０内の各種データを処理し、ＩＯＣ２５０を介してラベルライタ１内の各部に、各種信号・データを出力することにより、印刷モード（通常印刷モードまたはデモ印刷モード）の設定、並びに当該印刷モードに応じた印刷処理の制御などを行う。
【００７４】
ここで、ラベルライタ１における印刷モードの設定方法および印刷方法について、図４のフローチャートを参照して説明する。上記の通り、本発明のラベルライタ１は、ホストコンピュータ３０から受信した印刷データに基づいて印刷を行う通常印刷モードと、デモ用印刷データに基づいて印刷を行うデモ印刷モードとの２つのモードを備え、印刷媒体や接続対象に応じて、モード設定を行うものである。
【００７５】
そこで、ここでは、印刷媒体に応じて印刷モードを設定する場合（図５（ａ）参照）であって、モード設定条件が「特定種類のテープカートリッジである場合にデモ印刷モードに設定する」（条件Ｔ−１）の場合を例に挙げて説明する。また、印刷媒体の検出およびモード設定を行うきっかけ（トリガ）となる操作、印刷を開始するきっかけ（トリガ）となる操作、並びにデモ印刷モード終了時の設定についても、種々の形態が考えられるが、ここでは、印刷媒体の検出、モード設定およびデモ印刷開始のきっかけとなる操作は、ユーザによる電源供給（電源接続）であり、デモ印刷モード終了時の設定は、１回のデモ印刷終了時までとする（図６参照：ＳＴＥＰ１＝Ａ，ＳＴＥＰ２＝Ａ，ＳＴＥＰ３＝Ｂ）。なお、本実施例の場合（ＳＴＥＰ１＝Ａ，ＳＴＥＰ２＝Ａ，ＳＴＥＰ３＝Ｂの場合）、電源供給前に、印刷媒体（ここでは、テープカートリッジＣ）の装填が必要となっている（その他の例における前提条件については、後述する）。
【００７６】
図４に示すように、ユーザにより、ラベルライタ１の電源が接続（ＯＮ）されると（Ｓ１１）、マイクロスイッチ６４によりテープカートリッジＣの種類を検出し（Ｓ１２）、テープカートリッジＣがデモ印刷用であると判別した場合は（Ｓ１３：Ｙｅｓ）、デモ印刷モードに設定し（Ｓ１４）、デモ印刷を行う（Ｓ１５）。そして、デモ印刷を１回終了するとデモ印刷を終了して自動的に電源を切断（ＯＦＦ）し（Ｓ１６）、次の電源の接続を待つ。一方、テープカートリッジＣがデモ印刷用でないと判別した場合は（Ｓ１３：Ｎｏ）、通常印刷モードに設定し（Ｓ１７）、ホストコンピュータ３０からの印刷データの受信を待つ。ここで、ホストコンピュータ３０から印刷データを受信した場合は（Ｓ１８：Ｙｅｓ）、その印刷データに基づいて通常印刷を行い（Ｓ１９）、ユーザによって電源が切断（ＯＦＦ）されるまで、印刷データを受信する毎に通常印刷を行う（Ｓ１８〜Ｓ２０）。
【００７７】
なお、本実施例において、電源供給前に、印刷媒体（テープカートリッジＣ）の装填を前提条件としたのは、電源供給時に検出するテープカートリッジＣの種類に応じて印刷モードの設定を行なうためである。
【００７８】
このように、本発明によれば、テープカートリッジＣ（印刷媒体）の種類を検出し、テープカートリッジＣの種類に応じて、通常印刷モードとデモ印刷モードとのいずれかを設定し、デモ印刷モードに設定した場合は、予めラベルライタ１のＲＯＭ２２０等に記憶されているデモ用印刷データに基づいて印刷を行うため、ホストコンピュータ３０と接続することなく容易にデモ印刷を行うことができる。また、ユーザがラベルライタ１に印刷を実行させるために当然必要となる、電源を供給する操作に基づいてテープカートリッジＣの検出、印刷モードの設定およびデモ印刷を行うことができる。すなわち、モード設定やデモ印刷実行のための特別な操作を必要としないため、ユーザの手間を省くことができる。さらに、テープＴが収容されたテープカートリッジＣの種類を検出するため、テープＴ自体の種類を検出する場合と比較して、容易に印刷媒体の種類を検出することができる。
【００７９】
なお、本実施例では、モード設定条件が「特定種類のテープカートリッジである場合にデモ印刷モードに設定する」（条件Ｔ−１，図４Ｓ１３参照）であるものとして説明したが、モード設定条件を「特定の印刷媒体（通常印刷モード専用のテープカートリッジ）である場合、通常印刷モードに設定する」（条件Ｔ−２）としても良い。すなわち、この場合は、ＲＯＭ２２０内に、通常印刷モードに設定する特定種類のテープカートリッジＣに関するデータを記憶しておき、これに合致した場合は通常印刷モードに設定し、合致しない場合はデモ印刷モードに設定する。
【００８０】
また、本実施例では、テープカートリッジＣの種類を検出するものとしたが、テープＴ（印刷媒体）自体の種類を検出し、その結果印刷モードの設定を行うようにしても良い。
【００８１】
ここで、本実施例のように、印刷媒体に応じてモード設定を行う場合において、印刷媒体（テープカートリッジＣ）の検出およびモード設定を行うきっかけとなる操作（ＳＴＥＰ１）、デモ印刷を開始するきっかけとなる操作（ＳＴＥＰ２）、並びにデモ印刷モード終了時（ＳＴＥＰ３）の設定についての、他の形態について説明する。図６に示すように、ＳＴＥＰ１ないしＳＴＥＰ３は、多数の組み合わせ形態が可能であるが、ここに示す例の場合、（ＳＴＥＰ１＝Ａ：電源供給時，ＳＴＥＰ２＝Ｂ：印刷媒体装填時）および（ＳＴＥＰ１＝Ｃ：接続対象接続時，ＳＴＥＰ２＝Ｂ：印刷媒体装填時）の組み合わせは存在しない。ここで、接続対象接続時とは、ラベルライタ１の本体ケース２に形成された接続インターフェース２５（図１参照）に、接続対象（図示の場合は、ホストコンピュータ３０）が接続された時をいうものである。
【００８２】
また、「ＳＴＥＰ１＝Ａ：電源供給時」の場合は、電源供給前に印刷媒体を装填することが前提条件であり、「ＳＴＥＰ１＝Ｃ：接続対象接続時」の場合は、接続対象接続前に印刷媒体を装填することが前提条件となる。
【００８３】
また、「ＳＴＥＰ１＝ＢおよびＳＴＥＰ２＝Ｂ：印刷媒体装填時（テープカートリッジ装着時）」では、上記の実施例のように、テープカートリッジＣによって印刷媒体を供給する場合、開閉蓋２１が閉蓋されることにより、その装着を検出する。このように、開閉蓋２１の閉蓋によって、テープカートリッジＣの装着を検出するため、テープＴ自体の装填を検出する場合と比較して、確実にトリガを検出することができる。なお、ここではテープカートリッジＣが装着されている状態で閉蓋された場合に、テープカートリッジＣが装着されたものと判断し、テープカートリッジＣが装着されていない状態で閉蓋された場合は、当然これをテープカートリッジＣの装着とはみなさない。
【００８４】
また、「ＳＴＥＰ２＝Ｂ：印刷媒体装填時」の場合は、印刷媒体を装填する前に電源供給を行うことが前提条件であり、「ＳＴＥＰ２＝Ｃ：接続対象接続時」の場合は、接続対象を接続する前に電源供給を行うことが前提条件である。これは、印刷開始のきっかけとなる操作が為されたにも関わらず、電源が供給されていないと、印刷処理を実行できないためである。
【００８５】
また、ここに示す例の場合は、「ＳＴＥＰ３＝Ａ：電源切断時まで」の場合、並びに「ＳＴＥＰ３＝Ｂ：１回のデモ印刷終了時まで」のいずれの場合においても、デモ印刷を繰り返す際には、ＳＴＥＰ１＝ＡまたはＳＴＥＰ２＝Ａの場合、電源の抜き差しが必要となる。また、同様に、デモ印刷を繰り返す際には、ＳＴＥＰ１＝ＢまたはＳＴＥＰ２＝Ｂの場合、印刷媒体の出し入れ（テープカートリッジＣの着脱）が必要であり、ＳＴＥＰ１＝ＣまたはＳＴＥＰ２＝Ｃの場合、接続対象（コネクタ）の抜き差しが必要となる。
【００８６】
なお、デモ印刷モードの終了（ＳＴＥＰ３）は、これらの条件に限らず、「所定回数のデモ印刷終了時まで」としても良い。また、この場合、所定回数のデモ印刷は、連続して行われても良いし、印刷開始の操作毎に行われても良い。すなわち、後者の場合は、例えば、「ＳＴＥＰ１＝Ａ：電源供給時，ＳＴＥＰ２＝Ｂ：印刷媒体装填時」などの組み合わせのとき、印刷媒体の出し入れによってデモ印刷が繰り返され、その操作が所定回数に達し、デモ印刷が終了した時点でデモ印刷モードをリセットすることになる。
【００８７】
以上の通り、印刷媒体に応じて印刷モードを設定する場合、印刷媒体（テープカートリッジＣ）の検出およびモード設定を行うきっかけとなる操作（ＳＴＥＰ１）、デモ印刷を開始するきっかけとなる操作（ＳＴＥＰ２）、並びにデモ印刷モード終了時（ＳＴＥＰ３）の設定として、図６に示す種々の組み合わせ形態が可能となる。
【００８８】
次に、印刷媒体（テープカートリッジＣ）以外の条件によってモード設定を行う場合について、図５を参照して説明する。同図に示すように、モード設定条件としては、印刷媒体に応じた条件（同図（ａ）参照）以外に、接続対象に応じた条件（同図（ｂ）参照）、接続対象および印刷媒体に応じた条件（同図（ｃ）参照）がある。そこで、まず、接続対象に応じて印刷モードを設定する場合について説明する。
【００８９】
ここで、接続対象に応じた条件とは、ラベルライタ１の本体ケースに形成された接続インターフェース２５（図１参照）の接続先の種類（図示の場合は、ホストコンピュータ３０）に応じた条件をいうものであり、記憶された信号レベルと、接続インターフェース２５の接続によって検出した信号レベルとの比較を行うことにより、接続対象を検出する。
【００９０】
そこで、図５（ｂ）に示す３つの例を挙げて説明する。例えば、モード設定条件が「接続対象がホストコンピュータでない場合または接続対象が存在しない場合、デモ印刷モードに設定する」（条件Ｃ−１）である場合、接続対象がホストコンピュータ３０であることを検出した場合のみ、通常印刷モードに設定する。すなわち、この条件（条件Ｃ−１）は、「接続対象がホストコンピュータである場合、通常印刷モードに設定する」（条件Ｃ−３）に対応する条件となる。
【００９１】
また、「接続対象がデモ印刷専用のアタッチメントである場合、デモ印刷モードに設定する」（条件Ｃ−２）である場合、デモ印刷専用のアタッチメント以外を検出したときに、通常印刷モードに設定する。ここで、図９を参照し、デモ印刷専用のアタッチメント５０（以下、「専用アタッチメント」という）の回路構成について説明する。同図に示すとおり、専用アタッチメント５０を、接続インターフェース２５（ＵＳＢコネクタ４１）に接続すると、専用アタッチメント５０のポートから出力されるＳｉｇｎａｌ１およびＳｉｇｎａｌ２の信号レベルを検出し、接続対象が専用アタッチメント５０であることを検出する。したがって、条件Ｃ−２の場合は、このＳｉｇｎａｌ１およびＳｉｇｎａｌ２の信号レベルが、記憶された所定の信号レベル（専用アタッチメントによって検出される信号レベル）と異なる場合は、通常印刷モードに設定する。
【００９２】
なお、専用アタッチメントを市販のＵＳＢハブ（セルフパワードハブ）などで代用しても良い。この構成によれば、デモ印刷モードの設定を行わせるための構成を、低コストで実現することができる。
【００９３】
ここで、接続対象に応じてモード設定を行う場合において、接続対象の検出およびモード設定を行うきっかけとなる操作（ＳＴＥＰ１）、デモ印刷を開始するきっかけとなる操作（ＳＴＥＰ２）、並びにデモ印刷モード終了時（ＳＴＥＰ３）の設定についての、幾つかの形態について説明する。図７に示すように、ＳＴＥＰ１ないしＳＴＥＰ３は、多数の組み合わせ形態が可能であるが、ここに示す例の場合、（ＳＴＥＰ１＝Ａ：電源供給時，ＳＴＥＰ２＝Ｃ：接続対象接続時）および（ＳＴＥＰ１＝Ｂ：印刷媒体装填時，ＳＴＥＰ２＝Ｃ：接続対象接続時）の組み合わせは存在しない。
【００９４】
また、「ＳＴＥＰ１＝Ａ：電源供給時」の場合は、電源供給前に接続対象を接続することが前提条件であり、「ＳＴＥＰ１＝Ｂ：印刷媒体装填時」の場合は、印刷媒体を装填する前に接続対象を接続することが前提条件となる。さらに、「ＳＴＥＰ２＝Ａ：電源供給時」の場合は、ＳＴＥＰ１≠Ｂのとき、電源供給前に印刷媒体を装填することが前提条件となる。
【００９５】
また、「ＳＴＥＰ２＝Ｂ：印刷媒体装填時」の場合は、ＳＴＥＰ１≠Ａのとき、印刷媒体を装填する前に電源供給を行うことが前提条件であり、「ＳＴＥＰ２＝Ｃ：接続対象接続時」の場合は、接続対象を接続する前に電源を供給すること、および印刷媒体を装填することが前提条件である。これは、印刷開始のきっかけとなる操作が為されたにも関わらず、電源の供給や印刷媒体の装填が成されていないと、印刷処理を実行できないためである。
【００９６】
また、上記の印刷媒体に応じて印刷モードを設定する場合（図６参照）と同様に、「ＳＴＥＰ３＝Ａ：電源切断時まで」の場合、並びに「ＳＴＥＰ３＝Ｂ：１回のデモ印刷終了時まで」のいずれの場合においても、デモ印刷を繰り返す際には、ＳＴＥＰ１＝ＡまたはＳＴＥＰ２＝Ａの場合は、電源の抜き差しが必要となりＳＴＥＰ１＝ＢまたはＳＴＥＰ２＝Ｂの場合は、印刷媒体の出し入れ（テープカートリッジＣの着脱）が必要であり、ＳＴＥＰ１＝ＣまたはＳＴＥＰ２＝Ｃの場合は、接続対象（コネクタ）の抜き差しが必要となる。
【００９７】
続いて、接続対象および印刷媒体に応じて印刷モードを設定する場合（図５（ｃ）参照）について説明する。この場合は、特定の条件を満たした場合、接続対象または印刷媒体のいずれか一方の条件を無視するものである。例えば、モード設定条件が「接続対象がホストコンピュータである場合、装填された印刷媒体に関わらず、通常印刷モードに設定する」（条件ＣＴ−１）である場合、例えば装填された印刷媒体がデモ印刷専用のものであっても、通常印刷モードに設定する。この構成によれば、ユーザが誤って通常印刷モード専用外の印刷媒体を装填した場合でも、ユーザの意図に反してデモ印刷を実行することがない。
【００９８】
また、「接続対象がデモ印刷専用のアタッチメントである場合、装填された印刷媒体に関わらず、デモ印刷モードに設定する」（条件ＣＴ−２）である場合、例えば、通常印刷モード用の印刷媒体を装填した場合でも、デモ印刷モードに設定する。この構成によればユーザがデモ印刷を所望しているにも関わらず、誤ってデモ印刷モード専用外の印刷媒体を装填した場合でも、デモ印刷を行うことができる。
【００９９】
また、「印刷媒体が特定の印刷媒体である場合、接続対象にかかわらず、デモ印刷モードに設定する」（条件ＣＴ−３）である場合、例えば、ホストコンピュータ３０に接続した場合でも、デモ印刷モードに設定する。この構成によれば、ユーザがデモ印刷を所望しているにも関わらず、誤ってラベルライタ１をホストコンピュータ３０に接続してしまった場合でも、デモ印刷を行うことができる。
【０１００】
ここで、接続対象および印刷媒体に応じてモード設定を行う場合において、接続対象＋印刷媒体（テープカートリッジＣ）の検出およびモード設定を行うきっかけとなる操作（ＳＴＥＰ１）、デモ印刷を開始するきっかけとなる操作（ＳＴＥＰ２）、並びにデモ印刷モード終了時（ＳＴＥＰ３）の設定についての、幾つかの形態について説明する。図８に示すように、ＳＴＥＰ１ないしＳＴＥＰ３は、多数の組み合わせ形態が可能であるが、ここに示す例の場合、（ＳＴＥＰ１＝Ａ：電源供給時，ＳＴＥＰ２＝Ｂ：印刷媒体装填時）（ＳＴＥＰ１＝Ａ：電源供給時，ＳＴＥＰ２＝Ｃ：接続対象接続時）、（ＳＴＥＰ１＝Ｂ：印刷媒体装填時，ＳＴＥＰ２＝Ｃ：接続対象接続時）および（ＳＴＥＰ１＝Ｃ：接続対象接続時，ＳＴＥＰ２＝Ｂ：印刷媒体装填時）の組み合わせは存在しない。
【０１０１】
また、「ＳＴＥＰ１＝Ａ：電源供給時」の場合は、電源供給前に接続対象を接続すること、および印刷媒体を装填することが前提条件であり、「ＳＴＥＰ１＝Ｂ：印刷媒体装填時」の場合は、印刷媒体を装填する前に接続対象を接続することが前提条件となる。また、「ＳＴＥＰ１＝Ｃ：接続対象接続時」の場合は、接続対象を接続する前に印刷媒体を装填することが前提条件となる。
【０１０２】
また、「ＳＴＥＰ２＝Ｂ：印刷媒体装填時」の場合は、印刷媒体を装填する前に電源供給を行うことが前提条件であり、「ＳＴＥＰ２＝Ｃ：接続対象接続時」の場合は、接続対象を接続する前に電源供給を行うことが前提条件である。さらに、上記の印刷媒体や接続対象に応じて印刷モードを設定する場合（図６および図７参照）と同様に、「ＳＴＥＰ３＝Ａ：電源切断時まで」の場合、並びに「ＳＴＥＰ３＝Ｂ：１回のデモ印刷終了時まで」のいずれの場合においても、デモ印刷を繰り返す際には、ＳＴＥＰ１＝ＡまたはＳＴＥＰ２＝Ａの場合は、電源の抜き差しが必要となりＳＴＥＰ１＝ＢまたはＳＴＥＰ２＝Ｂの場合は、印刷媒体の出し入れ（テープカートリッジＣの着脱）が必要であり、ＳＴＥＰ１＝ＣまたはＳＴＥＰ２＝Ｃの場合は、接続対象（コネクタ）の抜き差しが必要となる。
【０１０３】
以上の通り、本発明のラベルライタ１は、ホストコンピュータ３０から受信した印刷データに基づいて印刷を行う通常印刷モードと、デモ用印刷データに基づいて印刷を行うデモ印刷モードとの２つのモードを備え、印刷媒体や接続対象に応じて、モード設定を行うと共に、デモ印刷モードに設定した場合は、予め装置内に記憶されているデモ用印刷データに基づいて印刷を行うため、ホストコンピュータ３０と接続することなく容易にデモ印刷を行うことができる。
【０１０４】
また、ユーザが操作するためのユーザインタフェースを省略しており、ユーザによる特定の操作をトリガとしてデモ印刷を行うため、印刷媒体や接続対象の検出のきっかけとなる操作や、デモ印刷開始のきっかけとなる操作を、印刷を実行するために行う操作（例えば、電源を供給する操作など）と兼用させることで、ユーザはモード設定や印刷実行のための特別な操作（例えば、印刷実行キーの押下など）を行う必要なく、より簡単にデモ印刷を行うことができる。更に、ユーザインタフェースを省略した構成とすることができるため、コストの削減を図ることができる。
【０１０５】
次に、本発明の第二実施形態について、図１０ないし図１２を参照して説明する。上記の第一実施形態では、ユーザインタフェースを省略したラベルライタ１を例に挙げたが、本実施形態では、ユーザインタフェースとして、印刷実行キー３１０を備えたＣＤ−Ｒプリンタ３０１を例に挙げて説明する。なお、ＣＤ−Ｒプリンタ３０１とは、ホストコンピュータ３０で作成したＣＤタイトル等の文字や画像を、ＣＤ−Ｒ（印刷媒体）３２０に印刷するための装置である。
【０１０６】
図１０は、本実施形態におけるＣＤ−Ｒプリンタ３０１に、ＣＤ−Ｒ３２０をセットした状態の外観斜視図であり、図１１は、前部カバー３０６を解放したＣＤ−Ｒプリンタ３０１、これに装着するリボンカートリッジ３５１およびＣＤ−Ｒ３２０の外観斜視図である。両図に示すように、ＣＤ−Ｒプリンタ３０１は、前部ケース３０４および後部ケース３０５から成るカバーケース３０３によって装置全体がカバーリングされており、前部ケース３０４には、図示手前側に解放する前部カバー３０６と、クリック的に開閉する開閉蓋３０７と、ホストコンピュータ３０とケーブルおよびＵＳＢコネクタを介して接続される接続インターフェース３２５（ＵＳＢインターフェース）とが形成されている。また、ＣＤ−Ｒプリンタ３０１の上面には、前部ケース３０４と後部ケース３０５の境界に位置して、ＣＤ−Ｒ３２０を装置本体に投入するための投入口３４１と、デモ印刷を実行させるための印刷実行キー３１０とを備えている。この印刷実行キー３１０の押下により、ＣＤ−Ｒ３２０（印刷媒体）が装填されたことの検出、印刷モードの設定、およびデモ印刷を行うが、詳細については後述する。
【０１０７】
前部カバー３０６を解放すると、装置内部には、印刷ヘッド３３１（サーマルヘッド）を備えたヘッドユニット３２１と、印刷ヘッド３３１に臨むリボンカートリッジ３５１と、これらの印刷ヘッド３３１およびリボンカートリッジ３５１を搭載したキャリッジ３６１とが配設されており、このキャリッジ３６１が移動することで、セットされたＣＤ−Ｒ３２０の所定の印刷領域Ｄｐに印刷を行うようになっている。
【０１０８】
ＣＤ−Ｒ３２０は、その中心部に円形のクランプ孔Ｄａが形成され、図示手前側が印刷面、裏面が音楽データなど、各種データを書き込む記録面となっている。また、一般的に、印刷面には、そのＣＤ−Ｒ３２０のメーカー名や商品名が予め印刷されており、これらによってＣＤ−Ｒ３２０の上下左右を規定している。また、これらのメーカー名や商品名を避けた、ディスクの下側を印刷領域Ｄｐとして設定している。
【０１０９】
ここで、ＣＤ−Ｒプリンタ３０１における印刷モードの設定方法および印刷方法について、図１２のフローチャートを参照して説明する。上記の第一実施形態におけるラベルライタ１と同様、本発明のＣＤ−Ｒプリンタ３０１は、ホストコンピュータ３０から受信した印刷データに基づいて印刷を行う通常印刷モードと、デモ用印刷データに基づいて印刷を行うデモ印刷モードとの２つのモードを備えている。
【０１１０】
そこで、ここでは、接続対象に応じて印刷モードを設定する場合（図５（ｂ）参照）であって、モード設定条件が「接続対象がホストコンピュータでない場合または接続対象が存在しない場合にデモ印刷モードに設定する」場合（条件Ｃ−１）を例に挙げて説明する。また、接続対象の検出およびモード設定を行うきっかけ（トリガ）となる操作、印刷を開始するきっかけ（トリガ）となる操作、並びにデモ印刷モード終了時の設定についても、第一実施形態と同様、種々の形態が考えられるが、ここでは、印刷実行キー３１０の押下により、ＣＤ−Ｒ３２０（印刷媒体）が装填されたことの検出、印刷モードの設定、デモ印刷処理の実行を行い、デモ印刷モード終了時の設定は、１回のデモ印刷終了時までの場合を例に挙げて説明する。なお、本実施例の場合、印刷実行キー３１０の押下前にＣＤ−Ｒ３２０の装填、並びに電源の供給が必要となっている。
【０１１１】
図１２に示すように、ユーザにより、印刷実行キー３１０が押下されると（Ｓ１１）、接続インターフェース２５に接続された接続対象を検出し（Ｓ１２）、接続対象がホストコンピュータ３０であると判別した場合（Ｓ１３：Ｙｅｓ）、通常印刷モードに設定する（Ｓ１６）。一方、接続対象がホストコンピュータ３０でないと判別した場合は（Ｓ１３：Ｎｏ）、デモ印刷モードに設定し（Ｓ１４）、デモ印刷を行う（Ｓ１５）。そして、デモ印刷を１回終了すると、デモ印刷を終了し、次の印刷実行キーの押下を待つ。
【０１１２】
また、上記の通り、接続対象がホストコンピュータ３０であると判断した場合は（Ｓ１３：Ｙｅｓ）、通常印刷モードに設定する。そして、ホストコンピュータ３０から印刷データを受信した場合は（Ｓ１７：Ｙｅｓ）、その印刷データに基づいて通常印刷を行い（Ｓ１８）、ユーザによって電源が切断（ＯＦＦ）されるまで、印刷データを受信する毎に通常印刷を行う（Ｓ１７〜Ｓ１９）。
【０１１３】
なお、本実施例において、印刷実行キーの押下前にＣＤ−Ｒ３２０の装填を前提条件としたのは、前者が、印刷開始時にＣＤ−Ｒ３２０（印刷媒体）が装填されていなければ印刷を行うことができないためである。
【０１１４】
このように、本発明によれば、ユーザによる印刷実行キー３１０の押下によって印刷媒体を検出し、モード設定を行うため、ユーザが意図しない誤った操作（例えば、電源を供給する操作など）によってモード設定を行うことがない。したがって、ユーザの誤操作を減らすことができる。また、印刷実行キー３１０の押下によって、接続対象の検出、モード設定およびデモ印刷を行うため、ユーザはこれらの処理を、１回のキー押下によって簡単に行うことができる。
【０１１５】
なお、本実施形態においても、図５に示すモード設定条件が適用可能であり、図６ないし図８に示す、印刷媒体や接続対象の検出およびモード設定を行うきっかけとなる操作（ＳＴＥＰ１）、デモ印刷を開始するきっかけとなる操作（ＳＴＥＰ２）、並びにデモ印刷モード終了時（ＳＴＥＰ３）の設定についても、同様の形態が適用可能である。
【０１１６】
また、ＣＤ−Ｒプリンタ３０１に限らず、ＣＤ−ＲＷ、ＤＶＤ−ＲおよびＤＶＤ−ＲＡＭなど円盤状の追記型光ディスクに印刷を行う装置についても、本発明は適用可能である。
【０１１７】
以上、第１実施形態および第２実施形態にて説明したとおり、本発明の印刷装置（ラベルライタ１，ＣＤ−Ｒライタ３０１）によれば、印刷媒体や接続対象に応じて、印刷モードを設定し、デモ印刷モードに設定した場合（第１実施形態）は、予め装置内に記憶されているデモ用印刷データに基づいて印刷を行うため、ホストコンピュータ３０と接続することなく容易にデモ印刷を行うことができる。また、ユーザが操作するためのユーザインタフェースを具備していなくとも、ユーザによる、特定の操作をトリガとしてデモ印刷を行うため、特定の操作を印刷実行のための他の操作（例えば、電源を供給する操作など）と兼用させることで、ユーザは印刷実行のための特別な操作（例えば、印刷実行キーの押下など）を行う必要なく、より簡単にデモ印刷を行うことができる。更に、ユーザインタフェースを省略した構成とすることができるため、コストの削減を図ることができる。
【０１１８】
また、印刷実行キー３１０を備えた構成（第２実施形態）とすれば、デモ印刷を実行するための一連の操作（接続対象の検出、モード設定およびデモ印刷の実行）を、１回のキー押下によって行うことができるため、ユーザの手間を省くことができる。また、ユーザが印刷実行キー３１０を意図的に操作する必要があるため、ユーザが意図しない誤った操作（例えば、電源を供給する操作など）によってモード設定を行うことがなくなり、確実にモード設定を行うことができる。
【０１１９】
なお、上記の例では、接続インターフェース２５は、ＵＳＢインターフェースであるものとしたが、シリアル・インターフェース、ＳＣＳＩインターフェース、セントロニクス・インターフェース等、いかなるインターフェースであっても良い。
【０１２０】
また、上記の例（第一実施形態）では、デモ印刷用データは、ＲＯＭ２２０内に格納されているものとしたが、ＲＡＭ２４０内に格納し、ホストコンピュータ３０などから、適宜書き換えができるように構成しても良い。この構成によれば、販売活動などの際に販売先（店舗）に応じたデモ印刷を行うことができる。さらに、デモ印刷用データは、１種類だけでなく、複数種類のデータが格納されるものとしても良い。また、この場合、この複数種類のデモ用印刷データが、印刷指示毎に順次出力されるようにしても良いし、ランダムに出力されるようにしても良い。この構成によれば、変化に富んだデモ印刷を行うことができる。
【０１２１】
また、上記の例では、印刷媒体の検出の直後、続けてモード設定を行うものとしたが、それぞれ別のトリガによって行うものとしても良い。すなわち、電源供給時に印刷媒体の検出を行い、印刷媒体を装填したときにモード設定を行う。そして、その後、接続対象が接続されたときにデモ印刷を開始するなどといった構成にしても良い。但し、この場合は、上記の順序で操作が進められることが前提条件となる。
【０１２２】
また、上述したラベルライタやＣＤ−Ｒプリンタの例によらず、例えば印刷方式や装置構成等について、本発明の要旨を逸脱しない範囲で、適宜変更も可能である。
【０１２３】
【発明の効果】
上述のように、本発明の印刷装置によれば、ホストコンピュータなどの外部装置と接続することなく、デモ印刷を容易に行うことができるなどの効果がある。
【図面の簡単な説明】
【図１】本発明の一実施形態に係るラベルライタの閉蓋状態の外観斜視図である。
【図２】本発明の一実施形態に係るラベルライタの開蓋状態、テープカートリッジおよびテープの外観斜視図である。
【図３】本発明の一実施形態に係るラベルライタの制御ブロック図である。
【図４】本発明の一実施形態に係るラベルライタの印刷モードの設定方法および印刷方法を示すフローチャートである。
【図５】本発明の一実施形態に係るモード設定条件を示す図である。
【図６】印刷媒体に応じて印刷モードを設定する場合の、動作形態を示す説明図である。
【図７】接続対象に応じて印刷モードを設定する場合の、動作形態を示す説明図である。
【図８】接続対象および印刷媒体に応じて印刷モードを設定する場合の、動作形態を示す説明図である。
【図９】本発明の一実施形態に係るデモ印刷専用アタッチメントの回路構成を示す図である。
【図１０】本発明の第二実施形態に係るＣＤ−Ｒライタに記憶媒体を挿入した際の外観斜視図である。
【図１１】本発明の第二実施形態に係るＣＤ−Ｒライタ、リボンカートリッジおよび記憶媒体の外観斜視図である。
【図１２】本発明の第二実施形態に係るＣＤ−Ｒライタの印刷モードの設定方法および印刷方法を示すフローチャートである。
【符号の説明】
１        ラベルライタ
６        ポケット
１１        データ入出力部
１２        印刷部
１３        切断部
１４        検出部
２１        開閉蓋
２５        接続インターフェース
３０        ホストコンピュータ
１４２        テープカートリッジ種類検出センサ
２００        制御部
２１０        ＣＰＵ
２２０        ＲＯＭ
２３０        ＣＧ−ＲＯＭ
２４０        ＲＡＭ
２５０        ＩＯＣ
２６０        内部バス
２７０        駆動部
３０１        ＣＤ−Ｒライタ
３１０        印刷実行キー
３２０        ＣＤ−Ｒ
３２５        接続インターフェース
Ｃ        テープカートリッジ
Ｒ        インクリボン
Ｔ        テープ
【図１】
0003578160.tif 000002
【図２】
0003578160.tif 000003
【図３】
0003578160.tif 000004
【図４】
0003578160.tif 000005
【図５】
0003578160.tif 000006
【図６】
0003578160.tif 000007
【図７】
0003578160.tif 000008
【図８】
0003578160.tif 000009
【図９】
0003578160.tif 000010
【図１０】
0003578160.tif 000011
【図１１】
0003578160.tif 000012
【図１２】
0003578160.tif 000013